(57)【特許請求の範囲】
【請求項１】
ディスク上にオーディオ音声情報と該音声情報とともに再生される少なくとも一つの静止画像情報とオーディオ音声情報ならびに静止画像情報を再生するための制御情報とが記憶されたＤＶＤオーディオディスクから情報を読み取るデータ読取部と、
前記データ読取部により読み取られた情報をオーディオ音声情報と静止画像情報と制御情報とを個別のデータストリームに分離するデマルチプレクサ部と、
前記分離されたオーディオ音声情報ならびに静止画像情報を復号する復号部と、
復号された静止画像を表示するための表示部と、
少なくとも一つの静止画像を前記表示部で再生する期間を前記制御情報中に記憶された静止画像の再生期間情報から決定し、決定された各静止画像が次の静止画像に切り替わるまでの残時間を静止画像と共に表示部に表示させる制御部とを備え、
前記制御部は、再生するオーディオ音声と該オーディオ音声に対応して再生される静止画像のディスク上に記憶されている再生期間が最大期間と最小期間の2つの値である場合、当該静止画像のリストと前記最大期間ならびに最小期間の2つの値を前記表示部で表示し、当該静止画像の再生期間を前記最大期間と最小期間の２つの値の間で、操作者が設定可能としたことを特徴とするＤＶＤオーディオディスク再生装置。
【発明の詳細な説明】
【０００１】
【発明の属する技術分野】
本発明は、DVDオーディオディスク再生装置における静止画像再生の方法ならびにその装置に係わるものであり、特に、操作者にオーディオトラックの再生中に表示される静止画の再生情報を提供するものである。
【０００２】
【従来の技術】
一般にオーディオ音声の再生装置としてコンパクトディスク（ＣＤ）ならびにその再生装置が提供されている。ＣＤは音声のみの再生媒体として、それまでのアナログレコード盤を置き換え、その後、その記憶領域に画像（動画または静止画）を記憶し、オーディオ信号とともに再生するビデオＣＤなどが提供されてきている。
【０００３】
近年、上記ＣＤに対して、更なる記憶容量を有するＤＶＤ（Digital Versatile Disc）をオーディオ用のメディアとすべく、ＤＶＤオーディオの規格策定が行われている。このＤＶＤオーディオは、これまでＣＤでは為し得なかったマルチチャネルによるオーディオ情報をディスク上に記憶させ、高品質、高音質のオーディオ再生をユーザに提供するものである。
【０００４】
このＤＶＤオーディオの規格では、主となる音声信号の他にオーディオスチルビデオ（Audio Still Video、以下ASV）と呼ばれる静止画像情報をディスク上に記憶することができ、ＤＶＤオーディオ再生装置で音声と共にＡＳＶを再生することができる。
【０００５】
このＡＳＶは、音声1トラックを最小単位とする、音声の再生期間内に1枚以上の静止画情報を再生するように指定されており、複数枚の静止画情報の表示が当該音声再生期間内で切替えられて再生される。
【０００６】
この静止画の切り替えは、ディスク上に記憶された静止画再生制御情報に基づき、ＤＶＤオーディオ再生装置により切り替えが行われる。
【０００７】
この特定の音声再生期間内に割当てられた複数の静止画像の切り替えは、操作者による切り替えの他、ＤＶＤオーディオフォーマット中の情報をＤＶＤオーディオ再生装置が読み取ることで制御される。
【０００８】
【発明が解決しようとする課題】
ところで、上記の切り替えは、ディスク上に記憶された制御情報は再生される静止画像の一つの再生期間または再生期間の範囲が最小ならびに最大の値のいずれかを含んでいる。ＤＶＤオーディオ再生装置は、この制御情報に含まれた再生期間に基づき、トラックの再生期間中に自動的に静止画像の切り替えを行う。ここで、静止画像の再生期間が最小並びに最大の範囲で表されている場合、当該静止画像の再生期間は、この最小と最大の範囲内の任意の期間がＤＶＤオーディオ再生装置で選択され、複数の静止画像の切り替えが自動的に行われることとなる。
【０００９】
この場合、再生されるオーディオ音声と同時に表示される静止画像が複数枚ある場合、各静止画像の再生期間は、ＤＶＤオーディオディスク上に記憶された再生期間情報により行われ、各静止画像が実際に切り替わるまでの時間は再生される静止画像の記憶情報には含まれていない。
【００１０】
従って、ディスク上に記憶された静止画像はその表示の再生期間の情報を持っていないため、ディスクから読み出された画像を表示するだけでは、その再生期間は表示されず、操作者は再生されている静止画像がいつ切り替わるか知ることが出来ない。
【００１１】
例えば、静止画像に文章が含まれている場合で、操作者が最初の方の文章に夢中になり、最後まで読み終えないうちに次の静止画像に切り替わってしまった等、操作者に不満を与えてしまうという問題がある。
【００１２】
【課題を解決するための手段】
上記課題を解決するために、本発明のＤＶＤオーディオディスク再生装置は、主となる再生音声とともに再生される複数の静止画像情報とオーディオ音声情報ならびに静止画像情報を再生するための制御情報とが記憶されたＤＶＤオーディオディスクの記憶情報を読み取るデータ読取部と、前記データ読取部により読み取られた情報をオーディオ音声情報と静止画像情報と制御情報とを個別のデータストリームに分離するデマルチプレクサ部と、前記分離されたオーディオ音声情報ならびに静止画像情報を復号する復号部と、復号された静止画像を表示するための表示部とを有し、各静止画像を前記表示部で再生する期間を前記制御情報中に記憶された静止画像の再生期間情報から決定し、再生期間が決定された各静止画像が次の静止画像に切り替わるまでの残時間を静止画像と共に前記表示部に表示させる制御部を備えたものである。
【００１３】
更に、本発明のＤＶＤオーディオディスク再生装置は、制御部が再生されているオーディオ音声に対応して表示される静止画像の枚数を併せて表示するようにされている。
【００１４】
【発明の実施の形態】
以下、本発明の実施の形態を図面を用いて説明する。
【００１５】
１．ＤＶＤオーディオディスク再生装置の構成
図１は、本発明に係るＤＶＤオーディオディスク再生装置の構成の一例を示したものである。
１はＤＶＤオーディオディスクであり、本装置が再生する音声情報ならびに静止画像情報が記憶されている。このＤＶＤオーディオディスク１に記憶されている情報は、光ピックアップ２により読み取られる。ＤＶＤオーディオディスク１には、光ピックアップ２の位置制御のためのサーボ情報が書き込まれており、データ読取部３は読み取られたサーボ情報を制御部３０に送り、制御部３０は光ピックアップ２の位置制御を行う。
【００１６】
光ピックアップ２により読み取られたＤＶＤオーディオディスク上の静止画ならびに音声の再生データはデータ読取部３からデータデコーダ部４でエラー訂正を行った後、ASVUバッファ５ならびにトラックバッファ７を介してデマルチプレクサ６、８に送られる。
【００１７】
ＤＶＤオーディオディスク１を再生するための制御情報は、データデコーダ部４から制御部３０に送られる。
【００１８】
制御部３０は、データデコーダ４から受け取った制御情報を一旦制御情報メモリ３４に格納し、操作入力部３２を介して入力された操作者の操作情報に基づき、再生されるオーディオ音声（曲）を特定し、特定された曲の再生情報を生成し、再生情報メモリに３６に格納する。
この再生情報には、特定されたオーディオ音声ならびに当該オーディオ音声の再生中に表示される静止画像の情報とこれらの情報がＤＶＤオーディオディスク１上に記録されている位置の情報が含まれる。
【００１９】
制御部３０は、生成した前記再生情報に基づき、ＤＶＤオーディオディスク１を再生するための制御信号を光ピックアップ２に送出するとともに、データ読取部３に読み出しを指示し、ＤＶＤオーディオディスク１から読み出されるオーディオ音声情報ならびに静止画情報を読み出す。読み出された静止画情報は、一旦ASVUバッファ５に蓄えられる。
【００２０】
ＤＶＤオーディオディスク１から読み出されたオーディオ音声情報は、同様にデータデコーダ４でエラー訂正が行われた後、一旦トラックバッファ７に蓄えられる。
【００２１】
ASVUバッファ５に蓄えられた静止画情報ならびにトラックバッファ７に蓄えられたオーディオ音声情報は、制御部３０からの再生制御信号に基づき、それぞれがデマルチプレクサ６、８に送られ、静止画情報ストリームならびにオーディオ音声情報ストリームに変換される。
【００２２】
デマルチプレクサ８で変換されたオーディオ音声情報ストリームはオーディオ音声復号部１２でデジタル音声信号に復号され、Ｄ／Ａ変換回路１８でさらにアナログ信号に変換されてオーディオ音声が出力される。
【００２３】
上記と同様に、デマルチプレクサ６で分離された静止画像情報ストリームは静止画像復号部１０で画像信号に復号され、静止画像表示合成部１４に送られる。
以上のデマルチプレクサ６、８におけるデータ変換ならびに静止画像復号部１０、オーディオ音声復号部１２による復号ならびに再生は、制御部３０から送出される再生制御信号によりプログラム再生と同期して行われる。
【００２４】
上記の静止画像の再生において、静止画像表示合成部１４は、再生情報メモリ３６に格納されている各静止画像の再生期間に基づき現在表示されている静止画像の残時間が制御部３０内で計算された結果を静止画像復号部１２から送られてきた画像情報と合成する。合成された画像は、表示部１６で表示される。
【００２５】
２．ＤＶＤオーディオフォーマット
次に、ＤＶＤオーディオディスク１に記憶されている制御情報のフォーマットについて説明する。
図２は、ＤＶＤオーディオの論理構造を示す図である。
ＤＶＤオーディオの論理構造は、ボリューム空間の構造（Volume and File Structure）とＤＶＤオーディオ空間（DVD Audio Zone）とDVDビデオ空間（DVD Video Zone）とその他DVD空間（DVD Other Zone）から構成されている。
ＤＶＤオーディオ空間は、1つのシンプルオーディオマネージャ（SAMG）と１つのオーディオマネージャ（Audio Manager：AMG）と1つのオーディオスチルビデオセット（ASVS）と1以上９９個までのオーディオタイトルセット（Audio＿Title＿Set：ATS）で構成されている。
【００２６】
ＡＭＧは、ＤＶＤオーディオディスクの構成を管理するものであり、図２（ａ）に示す通り、制御情報を含むＡＭＧＩ（Audio Manager Information）ファイル、ＡＭＧメニューの為のＶＯＢ（Video Object）の情報を含むＡＭＧＭ＿ＶＯＢＳ（Video Object Set for AMG Menu）ファイル、ならびにAMGIのバックアップファイル（Backup for AMGI）で構成されている。
【００２７】
各ＡＴＳは制御情報を含むＡＴＳＩ（Audio Title Set Information）ファイル、AOBのタイトルファイル（AOTT_AOBS）、ならびにATSIのバックアップファイル（Backup for ATSI）で構成されている。
【００２８】
AOTT_AOBSファイルの構成は図２(b)に示す通りであり、各ATSが再生するAOBのID番号とそのAOBのID番号に含まれるセルID番号で構成されている。各ATSの再生のための情報は、ATSIファイル内のプログラムチェーン情報テーブルに記述されている。
【００２９】
図３は前記ATSIの構成を示す。
ATSIはATSI管理テーブル（ATSI_MAT）、ATSプログラムチェーン情報テーブル（ATS_PGCIT）から構成されている。
【００３０】
前記ATS_PGCITの構成を図4に示す。
ATS_PGCITは、その情報を記したATS_PGCITI、１からｎ個（ｎ≦９９）までのATS_PGCIのサーチポインタ（ATS_PGCI_SRP#1〜n）と、各サーチポインタに対応するATSプログラムチェーン情報（ATS_PGCI）で構成されている。
このATS_PGCIは図５に示す通り、ATS＿PGCの一般情報（ATS_PGC_GI）、ATSプログラム情報テーブル（ATS_PGIT）、ATSセル再生情報テーブル（ATS_C_PBIT）、ならびにATS静止画再生情報テーブル（ATS_ASV_PBIT）で構成されている。
【００３１】
図8にATS_ASV_PBITの内容を示す。このテーブルは、ATSに含まれる各プログラムにあわせて再生されるASVの再生情報のサーチポインタ情報（ATS_ASV_PBI_SRP#1〜#m）と、各ATS_ASV_PBI_SRPが指定するATS_ASVの再生情報（ATS_ASV_PBI#1〜#n）で構成されている。ここで、ｎ、ｍの関係は、ｎ≦ｍ≦９９である。すなわち一つのATS_ASV_PBIは、複数のサーチポインタ情報（ATS_ASV_PBI_SRP）から指定されることが出来る。
【００３２】
図9は、ATS_ASV_PBI_SRPの構成を示す図である。各ATS_ASV_PBI_SRPは、ASVのユニット番号（ASVU）、ASVのディスプレイモードを規定するASV_DMD、各ATSで再生されるASV再生情報のスタートアドレス情報（ATS_ASV_PBI_SA）とエンドアドレス情報（ATS_ASV_PBI_EA）から構成される。
【００３３】
ATS_ASV_PBIはD_Listとも呼ばれ、ASV_DMDで規定されるディスプレイモードに対応したASVの再生情報が記憶されている。このD_Listの内容は、以下の各ASVの再生モードでその内容が異なる。図１０は、下記各モードに対応したD_Listの内容を表したものである。
【００３４】
ASVの再生は、ディスク内に記憶された管理情報に基づき、２種類のスライドショーと３種類のブラウザブルピクチャが再生の種類として定義される。
ここで、スライドショーは、ASVの表示タイミングとAOBの再生が同期している場合に用いられ、その他の場合は、ブラウザブルピクチャーが用いられる。
スライドショーにおけるASVの表示はディスク上に記憶された表示期間で制御され、AOBSの再生期間中の特定のタイミングで表示される。このASVの表示順序の違いにより２種類のスライドショーが存在する。
【００３５】
第１のスライドショーは、図６ １）で表されるように、シーケンシャルスライドショーと呼ばれるもので、ASVは、ディスク上に記憶された表示順序ならびに表示期間（これらは、ATS_PGCIに記述されている）で再生表示される。
【００３６】
図１０（ａ）が本シーケンシャルスライドショーにおけるD_Listの内容である。１０バイトの大きさで構成され、本プログラムで再生されるASVの集まり（ASVU）の中の一つのASV番号（１バイト）、保留（１バイト）、FOSL_BTNN（１バイト）、このASVの表示開始時点で再生されるプログラム番号（１バイト）、ディスプレイを開始するタイミング（４バイト）（このタイミングは、各プログラムで再生されるASVの集まりで、最初のASVの再生開始タイミングを０とし、次の切り替わりの時間までの積算値で表される）、再生開始時のエフェクトモードとその期間（１バイト）、再生終了時のエフェクトモードとその期間（１バイト）の各種情報を含む。
【００３７】
第２のスライドショーは、図６ ２）で表されるように、ランダム／シャッフルスライドショーと呼ばれるもので、ASVは、再生装置が任意に設定した順序で、ディスク上に記憶された表示期間の間再生される。
【００３８】
図１０（ｂ）が本ランダム／シャッフルスライドショーにおけるD_Listの内容である。その内容は、ASV番号が保留となっている以外は、図１０（ａ）と同じである。（再生されるASVの順序がASVUから任意に選ばれるため）。
以上のスライドショーにおいて、ユーザは再生装置から表示タイミングの変更を行うことはできない。
【００３９】
図7は、前記3種類のブラウザブルピクチャを図式的に表したものである。
図7 １）は、シーケンシャルブラウザブルピクチャであり、ASVの表示順序は、ディスクに記憶されている順序が使用される。各ASVの表示期間は、ディスクに記憶されている期間、もしくは、各ASVについて表示期間の最大値と最小値が記憶されている場合は、前記最大値と最小値との間で再生装置が任意に選んだ期間のいずれかとなる。なお、同図の右側は、前記各ASVの表示期間中にユーザ操作によりASVの切り替えが行われた場合のASVの遷移を示す図である。ここで、prev.は或るASV再生中に一つ前に再生されたASVに戻る操作が操作入力部３２より行われたことを、nextとは、或るASV再生中に次に再生が予定されているASVを再生する操作が操作入力部32により行われたことを示す。また、home選択とは、再生が予定される一連のASVの内、ディスクの記録内容により制御部３０が設定する基準となる１つのASV（この場合、ASV#2）を選択する操作が操作入力部３２により行われたことを表すものである。
【００４０】
図１０（ｃ）が本シーケンシャルブラウザブルピクチャにおけるD_Listの内容である。
ASV番号（１バイト）、保留（１バイト）、FOSL_BTNN（１バイト）、Home D_List番号（１バイト）、最大期間（２バイト）、最小期間（２バイト）、再生開始時のエフェクトモードとその期間（１バイト）、再生終了時のエフェクトモードとその期間（１バイト）の各種情報で構成されている。ここで、最大期間と最小期間の値が同じである場合は、このASVに対して一つの再生期間が与えられたこととなり、相違している場合、最大期間と最小期間との間で、任意の期間が再生装置で設定される。
【００４１】
図７ ２）は、ランダム／シャッフルブラウザブルピクチャを表している。各ASVの表示順序は、再生装置が任意に選択する。各ASVの表示期間は、ディスクに記憶されている期間、もしくは、各ASVについて表示期間の最大値と最小値が記憶されている場合は、前記最大値と最小値との間で再生装置が任意に選んだ期間のいずれかとなる。なお、同図の右側は、前記各ASVの表示期間中にユーザ操作によりASVの切り替えが行われた場合のASVの遷移を示す図である。
【００４２】
図１０（ｄ）が本ランダム／シャッフルブラウザブルピクチャにおけるD_Listの内容である。
図１０（ｃ）で規定されていたASV番号が保留となっている以外は、図１０（ｃ）と同じである。（再生されるASVの順序がASVUから任意に選ばれるため）。
【００４３】
図７ ３）は、自動遷移を伴わない（表示期間が無限大）シーケンシャルブラウザブルピクチャを表す。各ASVの表示順序は、ディスクに記憶されている順序であるが、各ASVはその再生期間が規定されていないため、各ASVの切り替えはユーザ操作によってのみ行われる。
【００４４】
本自動遷移を伴わないシーケンシャルブラウザブルピクチャの場合、D_Listの内容は、図１０（ｃ）と同じ構成となるが、最大期間と最小期間の値が００００ｈとなる。
【００４５】
実際のオーディオディスクの再生は、上記ATS＿PGCIに記述されたプログラム情報に基づき、各AOBがディスクから読み出され、復号再生されることで行われる。
各AOBに静止画像情報が割当てられているとき（前記ATS_PGCI中のATS_ASV_PBITに再生する静止画像情報が記述されているとき）、再生装置は、ATS_ASV_PBITならびにその関連情報に基づき、静止画像情報をディスクから読み出し、復号再生し表示装置に表示する。
本発明は、上記の各プレゼンテーションで再生される各ASVの再生表示期間を表示することを特徴とする。
【００４６】
３．本発明の動作について
再生装置は、光ピックアップ２でディスク１からデータを読み取り、読み取られたデータの内、DVDオーディオディスク１の再生に関する制御情報は、データデコーダ４から、制御部３０に送られ、規定のフォーマットに変換された上で制御情報メモリ３４に一時記憶される。
【００４７】
制御部３０は、操作入力部３２に対するユーザ操作に応じて、制御情報メモリ３４に一時記憶された制御情報を読み出し、オーディオ情報再生の為のプログラム（ATS_PGCI）を確認し、１トラック分の再生情報を再生情報メモリ３６に記憶し、この再生情報メモリ３６の記憶された再生情報に基づき、オーディオ音声情報（AOB）ならびに、静止画像の再生が指定されていた場合は、静止画像情報（ASV）を光ピックアップ２によりディスク１から読み出し、データデコーダ４を介して、静止画像情報をASVUバッファ５に、オーディオ音声情報をトラックバッファ７に蓄える。
【００４８】
制御部３０からの制御信号に基づき、ASVUバッファ５に蓄えられた静止画像情報がデマルチプレクサ６に送られ、静止画像データストリームに変換され、同様に、トラックバッファ７に蓄えられているオーディオ音声情報がデマルチプレクサ８に送られ、音声データストリームに変換される。
【００４９】
生成された音声データストリームは再生情報メモリ３６からの制御情報に基づき、制御部３０からの指示によりオーディオ音声復号部１２で音声情報に復号され、Ｄ／Ａ変換回路１８によりアナログ変換された後、オーディオ音声として出力される。
【００５０】
静止画像データストリームも同様に、再生情報メモリ３６からの制御情報に基づき、制御部３０からの指示により静止画像復号部１0で静止画像情報に復号され、復号された静止画像情報は、静止画像表示合成部１４に送られる。制御部３０は、再生情報メモリ３６で記憶されている静止画像の表示期間と当該静止画の表示開始からの経過時間により表示残時間を算出し、算出された残時間を静止画像表示合成部１４に送出する。
【００５１】
静止画像表示合成部１４は、前記静止画像復号部１０から送出されてきた静止画像情報と前記制御部３０から送出されてきた残時間情報を合成し、表示部１６で表示する。
【００５２】
この残時間は、ユーザが再生を指定したオーディオタイトル(ATS)に指定された静止画像再生の為のサーチポインタ（ATS_ASV_PBI_SRP）から再生が予定されているASVとそのASVのディスプレイモードを確認することで、そのD_Listの内容から容易に算出することが出来る。
【００５３】
すなわち、再生するオーディオタイトル（ATS）が決定されれば、ATSのプログラム情報（ATSI_PGCI）から当該ATSで再生されるASVの情報（再生されるASVの数、ASVのディスプレイモード、ならびに各ASVの再生タイミングまたは再生期間）が以下の手順で決定され、再生情報メモリ３６に記憶される。
【００５４】
（１）スライドショーの場合
シーケンシャルスライドショーまたはランダム／シャッフルスライドショーのいずれかでASVが表示される場合、図６ １）の通り、各ASVの表示タイミングは、D_Listで一義的に決められており、制御部３０は、再生されるASVの表示タイミングを制御情報メモリ３４に記憶されているD_Listから読み出し、再生情報メモリ３６に記憶する。
制御部３０は最初のASVの再生開始タイミングから現在までのASVの累計再生期間と次のASVの再生タイミングとの差を求めることにより残時間を算出し、静止画表示合成部１４を介して、表示部１６で静止画像と共に再生残時間を表示する。
【００５５】
（２）ブラウザブルピクチャの場合
自動遷移を伴うシーケンシャルブラウザブルピクチャまたはランダム／シャッフルブラウザブルピクチャの場合で、再生される各ASVのディスク1上に記憶されている再生期間が最大期間と最小期間の2つの値である場合、制御部３０は、各ASVの再生期間を許容された最大期間と最小期間との間の期間で任意に設定し、設定した期間を再生情報メモリ３６に記憶する。
【００５６】
制御部３０は、再生情報メモリ３６に記憶されている各ASVの再生期間と再生経過時間との差を求めることにより再生残時間を算出し、静止画表示合成部１４に送出、表示部１６に静止画像と共に残時間を表示する。
【００５７】
上記の場合において、再生装置の制御部３０が各ASVの再生期間を任意に設定したが、この期間設定をユーザが最大期間と最小期間との間で決定することも可能である。
【００５８】
上記（１）スライドショーならびに（２）ブラウザブルピクチャの双方の場合において、制御部３０は、再生情報メモリ３６に記憶されているATSにおいて再生されるASVの総数と表示を完了したASVの数からいくつのASVの再生が残されているかを表示部１６で表示するための情報を静止画表示合成部１４に送り、表示することもできる。
【００５９】
なお、制御情報メモリ３４は、ディスク１が再生装置に装着されたときに、ディスク１に記憶されている制御情報（AMGIならびにATSI）を記憶しておくことが望ましい。
再生装置は、制御情報メモリ３４に記憶されている制御情報を表示部１６に表示させることで、ユーザが再生を望むオーディオ情報の選定を容易にすることが出来る。
【００６０】
【発明の効果】
以上の通り、本発明は、ATSのプログラムで再生される各ASVの再生残時間を表示部１６に表示するようにしたので、次のASVに切り替わるまでの時間を表示するようにしたので、残時間の表示が無い場合に比べ、ユーザは再生されているASVの切り替えまでの時間に応じたASVの情報確認を行えるという効果を奏するものである。
【００６１】
また、本発明は、再生情報メモリ３６に記憶された情報からオーディオ音声を再生中のＡＴＳで再生されるASVの総数と再生済みのASVの数を表示するようにしたので、ユーザは再生中のATSで未再生のASVの総数を知ることができるようになる。
【図面の簡単な説明】
【図１】    本発明に係るDVDオーディオ再生装置の概略構成図。
【図２】    ＤＶＤオーディオ論理ブロック構造を説明する図
【図３】    ＡＴＳＩファイル構造を説明する図
【図４】    ＡＴＳＩ＿ＰＧＣＩＴの構造を説明する図
【図５】    ＡＴＳ＿ＰＧＣＩの構造を説明する図
【図６】    ＡＶＳスライドショーを説明する図
【図７】    ＡＶＳブラウザブルピクチャを説明する図
【図８】    ＡＴＳ＿ＡＳＶ＿ＰＢＩＴの構造を説明する図
【図９】    ＡＴＳ＿ＡＳＢ＿ＰＢＩ＿ＳＲＰの構造を説明する図
【図１０】  Ｄ＿Ｌｉｓｔの構造を説明する図
【符号の説明】
１            DVDディスク
２            光ピックアップ
３            データ読取部
４            データデコーダ
５            ASVUバッファ
７            トラックバッファ
６、８            デマルチプレクサ
１０            静止画像復号部
１２            オーディオ音声復号部
１４            静止画表示合成部
１６            表示部
１８            Ｄ／Ａ変換回路
３０            制御部
３２            操作入力部
３４            制御情報メモリ
３６            再生情報メモリ
【図１】
0003869619.tif 000002
【図２】
0003869619.tif 000003
【図３】
0003869619.tif 000004
【図４】
0003869619.tif 000005
【図５】
0003869619.tif 000006
【図６】
0003869619.tif 000007
【図７】
0003869619.tif 000008
【図８】
0003869619.tif 000009
【図９】
0003869619.tif 000010
【図１０】
0003869619.tif 000011